(57)【要約】  吸込口および吹出口と、吸込口から吹出口に至る風路上に配置された室内送風機とを有する空気調和装置の室内機であって、風路上に設けられ、冷媒の漏洩を検知する複数の冷媒漏洩検知センサと、室内送風機の回転数に基づき、風路を流れる空気の風量を判定する風量判定部と、風量に応じて、複数の冷媒漏洩検知センサのうち、使用する冷媒漏洩検知センサを選択するセンサ選択部と、選択された冷媒漏洩検知センサからの検知情報に基づき、冷媒の漏洩の有無を判定する漏洩判定部とを備える。
2019198176.tif 000002
【特許請求の範囲】
【請求項１】
吸込口および吹出口と、前記吸込口から前記吹出口に至る風路上に配置された室内送風機とを有する空気調和装置の室内機であって、
前記風路上に設けられ、冷媒の漏洩を検知する複数の冷媒漏洩検知センサと、
前記室内送風機の回転数に基づき、前記風路を流れる空気の風量を判定する風量判定部と、
前記風量に応じて、複数の前記冷媒漏洩検知センサのうち、使用する冷媒漏洩検知センサを選択するセンサ選択部と、
選択された前記冷媒漏洩検知センサからの検知情報に基づき、前記冷媒の漏洩の有無を判定する漏洩判定部と
を備える空気調和装置の室内機。
【請求項２】
前記風路上に設けられ、空調対象空間の空気と前記冷媒との間で熱交換を行う室内熱交換器をさらに備え、
複数の前記冷媒漏洩検知センサは、
前記吸込口の近傍に設けられた第１の冷媒漏洩検知センサと、
前記室内熱交換器の下部に設けられた第２の冷媒漏洩検知センサと
を含む
請求項１に記載の空気調和装置の室内機。
【請求項３】
前記風量判定部は、
前記室内送風機が回転していない場合に、前記風量がないと判定し、
前記室内送風機が回転している場合に、前記風量があると判定し、
前記センサ選択部は、
前記風量がないと判定された場合に、前記第２の冷媒漏洩検知センサを選択し、
前記風量があると判定された場合に、前記第１の冷媒漏洩検知センサおよび前記第２の冷媒漏洩検知センサを選択する
請求項２に記載の空気調和装置の室内機。
【請求項４】
前記回転数に対する第１の設定閾値と、前記第１の設定閾値より値が大きい第２の設定閾値とを記憶する記憶部をさらに備え、
前記風量判定部は、
前記回転数が前記第１の設定閾値以下である場合に、前記風量が微風量以下であると判定し、
前記回転数が前記第１の設定閾値より大きく、かつ前記第２の設定閾値以下である場合に、前記風量が中間風量であると判定し、
前記回転数が前記第２の設定閾値より大きい場合に、前記風量が高風量であると判定し、
前記センサ選択部は、
前記風量が微風量以下であると判定された場合に、前記第２の冷媒漏洩検知センサを選択し、
前記風量が中間風量であると判定された場合に、前記第１の冷媒漏洩検知センサおよび前記第２の冷媒漏洩検知センサを選択し、
前記風量が高風量であると判定された場合に、前記第１の冷媒漏洩検知センサを選択する
請求項２に記載の空気調和装置の室内機。
【請求項５】
前記漏洩判定部により冷媒漏洩が検知された場合に、前記冷媒が漏洩していることを示す報知を行う報知部をさらに備える
請求項１〜４のいずれか一項に記載の空気調和装置の室内機。
【請求項６】
前記漏洩判定部により冷媒漏洩が検知された場合に、前記室内送風機の前記回転数を増大させる送風機制御部をさらに備える
請求項１〜５のいずれか一項に記載の空気調和装置の室内機。
【発明の詳細な説明】
【技術分野】
【０００１】
本発明は、対象空間の空気調和を行う空気調和装置の室内機に関するものである。
【背景技術】
【０００２】
従来、可燃性冷媒を用いた空気調和装置には、冷媒が漏洩した際に冷媒の漏洩を検知するための冷媒漏洩検知センサが設けられている。例えば、特許文献１には、可燃性冷媒を用いた空気調和装置において、冷媒漏洩検知センサが室内機の風路上に設けられることが開示されている。【０００３】
また、特許文献２には、空気調和装置の室内機において、室内熱交換器の鉛直最下部となる当接部と同等の位置、あるいは、その下部となる位置に冷媒漏洩検知センサが設けられることが開示されている。このように、従来の空気調和装置の室内機では、空気よりも比重の重い冷媒が滞留する室内機の底部に、冷媒漏洩検知センサが設置される。
【先行技術文献】
【特許文献】
【０００４】
【特許文献１】特開平６−１８０１６６号公報
【特許文献２】特開２０１４−２２４６１２号公報
【発明の概要】
【発明が解決しようとする課題】
【０００５】
しかしながら、室内機の構造、および、送風機の風量等の運転状態によっては、室内機の底部に冷媒漏洩検知センサを設置しても、冷媒漏洩を検知できない場合がある。その場合は、室内機に複数の冷媒漏洩検知センサを設置し、これらの冷媒漏洩検知センサで冷媒の漏洩を常に監視する必要がある。【０００６】
また、通常、冷媒漏洩検知センサは、空気調和装置が通電されるとともに通電され、冷媒漏洩の有無を検知している。そのため、冷媒漏洩検知センサは、通電による経年変化で検知精度が変化し、長期間使用することによって冷媒の漏洩を正確に検知することができなくなる。【０００７】
本発明は、上記の課題に鑑みてなされたものであって、冷媒の漏洩をより確実に検知することができる空気調和装置の室内機を提供することを目的とする。
【課題を解決するための手段】
【０００８】
本発明の空気調和装置の室内機は、吸込口および吹出口と、前記吸込口から前記吹出口に至る風路上に配置された室内送風機とを有する空気調和装置の室内機であって、前記風路上に設けられ、冷媒の漏洩を検知する複数の冷媒漏洩検知センサと、前記室内送風機の回転数に基づき、前記風路を流れる空気の風量を判定する風量判定部と、前記風量に応じて、複数の前記冷媒漏洩検知センサのうち、使用する冷媒漏洩検知センサを選択するセンサ選択部と、選択された前記冷媒漏洩検知センサからの検知情報に基づき、前記冷媒の漏洩の有無を判定する漏洩判定部とを備えるものである。
【発明の効果】
【０００９】
以上のように、本発明の空気調和装置の室内機によれば、室内送風機の回転数に基づく風量に応じて、使用する冷媒漏洩検知センサを選択し、選択された冷媒漏洩検知センサからの検知情報に基づいて冷媒漏洩の有無を判定するため、冷媒の漏洩をより確実に検知することができる。
【図面の簡単な説明】
【００１０】
【図１】実施の形態１に係る空気調和装置の構成の一例を示す概略図である。
【図２】図１の制御装置の構成の一例を示す機能ブロック図である。
【図３】図１の室内機の外観の一例を示す斜視図である。
【図４】図１の室内機の内部構造の一例を示す断面図である。
【図５】図１の制御装置による冷媒漏洩検知処理の流れの一例を示すフローチャートである。
【図６】実施の形態１の変形例に係る室内機の外観の一例を示す斜視図である。
【図７】図６の室内機の内部構造の一例を示す断面図である。
【図８】実施の形態２に係る制御装置の構成の一例を示す機能ブロック図である。
【図９】図８の制御装置による冷媒漏洩検知処理の流れの一例を示すフローチャートである。
【発明を実施するための形態】
【００１１】
実施の形態１．
以下、本発明の実施の形態１に係る空気調和装置について説明する。図１は、本実施の形態１に係る空気調和装置１００の構成の一例を示す概略図である。図１に示すように、空気調和装置１００は、室外機１、室内機２および制御装置３で構成されている。室外機１と室内機２とが冷媒配管４で接続されることにより、冷媒回路が形成されている。
【００１２】
なお、図１に示す例では、室外機１に対して１台の室内機２が接続されているが、これに限られず、例えば複数の室内機２が接続されてもよい。また、室外機１は、複数であってもよい。また、この例において、制御装置３は、室内機２に設けられているが、これはこの例に限られない。例えば、制御装置３は、室外機１に設けられてもよいし、室外機１および室内機２とは別体で設けられてもよい。
【００１３】
［空気調和装置１００の構成］
（室外機１）
室外機１は、圧縮機１１、冷媒流路切替装置１２、室外熱交換器１３および室外送風機１４を備えている。圧縮機１１は、低温低圧の冷媒を吸入し、吸入した冷媒を圧縮し、高温高圧の冷媒を吐出する。圧縮機１１は、例えば、運転周波数を変化させることにより、単位時間あたりの送出量である容量が制御されるインバータ圧縮機等からなる。
【００１４】
冷媒流路切替装置１２は、例えば四方弁であり、冷媒の流れる方向を切り替えることにより、冷房運転および暖房運転の切り替えを行う。冷媒流路切替装置１２は、冷房運転時に、図１の実線で示す状態に切り替わる。また、冷媒流路切替装置１２は、暖房運転時に、図１の点線で示す状態に切り替わる。冷媒流路切替装置１２における流路の切替は、制御装置３によって制御される。
【００１５】
室外熱交換器１３は、室外空気と冷媒との間で熱交換を行う。室外熱交換器１３は、冷房運転の際に、冷媒の熱を室外空気に放熱して冷媒を凝縮させる凝縮器として機能する。また、室外熱交換器１３は、暖房運転の際に、冷媒を蒸発させ、その際の気化熱により室外空気を冷却する蒸発器として機能する。
【００１６】
室外送風機１４は、室外熱交換器１３に対して室外空気を供給する。室外送風機１４の回転数は、制御装置３によって制御される。回転数が制御されることにより、室外熱交換器１３に対する送風量が調整される。
【００１７】
（室内機２）
室内機２は、室内熱交換器２１、膨張弁２２および室内送風機２３を備えている。膨張弁２２は、冷媒を膨張させる。膨張弁２２は、例えば、電子式膨張弁等の開度の制御が可能な弁で構成される。膨張弁２２の開度は、制御装置３によって制御される。
【００１８】
室内熱交換器２１は、空気と冷媒との間で熱交換を行う。これにより、空調対象空間に供給される暖房用空気または冷房用空気が生成される。室内熱交換器２１は、冷房運転の際に蒸発器として機能し、空調対象空間の空気を冷却して冷房を行う。また、室内熱交換器２１は、暖房運転の際に凝縮器として機能し、空調対象空間の空気を加熱して暖房を行う。
【００１９】
室内送風機２３は、室内熱交換器２１に対して空気を供給する。室内送風機２３の回転数は、制御装置３によって制御される。回転数が制御されることにより、室内熱交換器２１に対する送風量が調整される。
【００２０】
また、室内機２は、第１の冷媒漏洩検知センサ２４Ａおよび第２の冷媒漏洩検知センサ２４Ｂを備えている。第１の冷媒漏洩検知センサ２４Ａおよび第２の冷媒漏洩検知センサ２４Ｂは、室内機２内で漏洩した冷媒を検知するために設けられている。
【００２１】
第１の冷媒漏洩検知センサ２４Ａは、室内送風機２３によって取り込まれる空気に含まれる冷媒を検知する。第２の冷媒漏洩検知センサ２４Ｂは、空気調和装置１００が停止している場合などに室内機２の下部に滞留する冷媒を検知する。第１の冷媒漏洩検知センサ２４Ａおよび第２の冷媒漏洩検知センサ２４Ｂは、それぞれ、冷媒漏洩検知の指示がなされた場合にのみ、冷媒の検知を行う。
【００２２】
（制御装置３）
さらに、室内機２には、制御装置３が設けられている。制御装置３は、空気調和装置１００全体を制御する。特に、本実施の形態１において、制御装置３は、室内機２内での冷媒の漏洩を検知するための冷媒漏洩検知処理を行い、圧縮機１１の運転周波数および室内送風機２３の回転数を制御する。
【００２３】
図２は、図１の制御装置３の構成の一例を示す機能ブロック図である。制御装置３は、マイクロコンピュータなどの演算装置上でソフトウェアを実行することにより各種機能が実現され、もしくは各種機能を実現する回路デバイスなどのハードウェア等で構成されている。図２に示すように、制御装置３は、風量判定部３１、センサ選択部３２、漏洩判定部３３、報知制御部３４、送風機制御部３５および圧縮機制御部３６を備えている。
【００２４】
風量判定部３１は、室内送風機２３から回転数情報を受け取り、受け取った回転数情報に基づき、風量を判定する。本実施の形態１において、風量判定部３１は、室内送風機２３の回転数に基づき、風量の有無を判定する。
【００２５】
センサ選択部３２は、風量判定部３１の判定結果に基づき、第１の冷媒漏洩検知センサ２４Ａおよび第２の冷媒漏洩検知センサ２４Ｂのうち、使用する冷媒漏洩検知センサを選択する。漏洩判定部３３は、センサ選択部３２で選択された冷媒漏洩検知センサからの検知情報に基づき、冷媒が漏洩しているか否かを判定する。
【００２６】
報知制御部３４は、冷媒漏洩が発生した場合に、冷媒漏洩が発生していることを報知するように、報知部５を制御する。報知部５は、例えば、図示しない表示手段を用いて冷媒漏洩を示す情報を表示してもよいし、図示しない音声出力手段を用いて音声を出力してもよい。また、報知部５は、通信手段等を用いて、遠隔地に存在する管理者等に報知してもよい。報知部５は、例えば室内機２に設けられてもよいし、室内機２の外部に設けられてもよい。
【００２７】
送風機制御部３５は、室内送風機２３の回転数を制御する。具体的は、送風機制御部３５は、冷媒漏洩が発生した場合に、室内送風機２３の回転数を増大させる。圧縮機制御部３６は、圧縮機１１の運転周波数を制御する。具体的には、圧縮機制御部３６は、冷媒漏洩が発生した場合に、圧縮機１１の運転周波数を０として、圧縮機１１を停止させる。
【００２８】
［室内機２の構造］
室内機２の構造について説明する。図３は、図１の室内機２の外観の一例を示す斜視図である。図４は、図１の室内機２の内部構造の一例を示す断面図である。図３および図４に示すように、室内機２は、例えば壁掛型であり、本体２０内に室内熱交換器２１および室内送風機２３が配置されている。なお、ここでは図示しないが、本体２０内には、膨張弁２２も配置されている。
【００２９】
本体２０は、前面パネル２０ａ、側面パネル２０ｂ、天面パネル２０ｃ、背面パネル２０ｄおよび底面パネル２０ｅによって形成されている。天面パネル２０ｃには、室内機２の周囲の空気を内部に吸い込むための吸込口２５が形成されている。底面パネル２０ｅには、室内機２の内部に吸い込んだ空気を外部に吹き出すための吹出口２６が形成されている。
【００３０】
本体２０の内部には、吸込口２５から吹出口２６に至る風路２７が形成されている。風路２７上には、空気流れ方向の上流側から、吸込口２５、異物の混入を防ぐためのフィルタ２８、室内熱交換器２１、室内送風機２３および吹出口２６が位置している。
【００３１】
第１の冷媒漏洩検知センサ２４Ａは、風路２７上の吸込口２５近傍に設けられている。第２の冷媒漏洩検知センサ２４Ｂは、風路２７上の室内熱交換器２１の下部に設けられている。
【００３２】
［空気調和装置１００の動作］
（冷媒の流れについて）
上記構成を有する空気調和装置１００における冷媒の動作について、図１を参照しながら説明する。
【００３３】
（冷房運転）
冷房運転時、冷媒流路切替装置１２は、図１の実線で示すように、圧縮機１１の吐出側と室外熱交換器１３とが接続されるように切り替えられる。そして、低温低圧の冷媒が圧縮機１１によって圧縮され、高温高圧のガス冷媒となって吐出される。
【００３４】
圧縮機１１から吐出された高温高圧のガス冷媒は、冷媒流路切替装置１２を介して室外熱交換器１３に流入する。室外熱交換器１３に流入した高温高圧のガス冷媒は、室外送風機１４によって取り込まれた室外空気と熱交換して放熱しながら凝縮し、高圧の液冷媒となって室外熱交換器１３から流出する。室外熱交換器１３から流出した高圧の液冷媒は、室外機１から流出し、冷媒配管４を介して室内機２に流入する。
【００３５】
室内機２に流入した高圧の液冷媒は、膨張弁２２によって減圧されて低温低圧の気液二相冷媒となり、室内熱交換器２１に流入する。室内熱交換器２１に流入した低温低圧の気液二相冷媒は、室内送風機２３によって取り込まれた室内空気と熱交換して吸熱および蒸発し、低圧のガス冷媒となって室内熱交換器２１から流出する。
【００３６】
室内熱交換器２１から流出した低圧のガス冷媒は、室外機１に流入する。室外機１に流入した低圧のガス冷媒は、冷媒流路切替装置１２を通過して、圧縮機１１へ吸入される。
【００３７】
（暖房運転）
暖房運転時、冷媒流路切替装置１２は、図１の破線で示すように、圧縮機１１の吐出側と室内機２側とが接続されるように切り替えられる。そして、低温低圧の冷媒が圧縮機１１によって圧縮され、高温高圧のガス冷媒となって吐出される。圧縮機１１から吐出された高温高圧のガス冷媒は、冷媒流路切替装置１２を介して室外機１から流出し、室内機２に流入する。
【００３８】
室内機２に流入した高温高圧のガス冷媒は、室内熱交換器２１に流入する。室内熱交換器２１に流入した高温高圧のガス冷媒は、室内送風機２３によって取り込まれた室内空気と熱交換して放熱しながら凝縮し、高圧の液冷媒となって室内熱交換器２１から流出する。室内熱交換器２１から流出した高圧の液冷媒は、膨張弁２２によって減圧されて低温低圧の気液二相冷媒となり、室内機２から流出する。
【００３９】
室内機２から流出した低温低圧の気液二相冷媒は、室外機１に流入する。室外機１に流入した低温低圧の気液二相冷媒は、室外熱交換器１３に流入する。室外熱交換器１３に流入した低温低圧の気液二相冷媒は、室外送風機１４によって取り込まれた室外空気と熱交換して吸熱および蒸発し、低圧のガス冷媒となって室外熱交換器１３から流出する。室外熱交換器１３から流出した低圧のガス冷媒は、冷媒流路切替装置１２を通過して、圧縮機１１へ吸入される。
【００４０】
（冷媒漏洩検知処理）
空気調和装置１００における冷媒漏洩検知処理について説明する。本実施の形態１では、風量に基づいて使用する冷媒漏洩検知センサが選択され、選択された冷媒漏洩検知センサの検知情報に基づいて冷媒が漏洩しているか否かが判定される。
【００４１】
図５は、図１の制御装置３による冷媒漏洩検知処理の流れの一例を示すフローチャートである。ステップＳ１において、空気調和装置１００が通電されると、風量判定部３１は、ステップＳ２において、室内送風機２３から受け取った回転数情報に基づき、風量があるか否かを判定する。ここで、風量があるか否かの判定は、室内送風機２３の回転数が０であるか否かによって行われる。なお、この例において「室内送風機２３の回転数が０である」とは、室内送風機２３が回転していないと見なすことができる程度の回転数を含むものとする。
【００４２】
風量があると判定された場合（ステップＳ２；Ｙｅｓ）、センサ選択部３２は、ステップＳ３において、冷媒漏洩を検知するためのセンサとして、第１の冷媒漏洩検知センサ２４Ａおよび第２の冷媒漏洩検知センサ２４Ｂの両方を選択する。一方、風量がないと判定された場合（ステップＳ２；Ｎｏ）には、室内送風機２３が回転しておらず、室内機２に空気が取り込まれていない状態であるので、空気よりも比重の重い冷媒が室内機２の下部に滞留する。そのため、センサ選択部３２は、ステップＳ４において、冷媒漏洩を検知するためのセンサとして、第２の冷媒漏洩検知センサ２４Ｂを選択する。
【００４３】
ステップＳ５において、漏洩判定部３３は、ステップＳ３またはＳ４で選択された冷媒漏洩検知センサからの検知情報に基づき、冷媒漏洩が発生しているか否かを判定する。冷媒漏洩が発生していると判定された場合（ステップＳ５；Ｙｅｓ）、ステップＳ６において、報知制御部３４は、冷媒漏洩が発生していることを報知するように、報知部５を制御する。また、送風機制御部３５は、漏洩した冷媒を空調対象空間に拡散させるように、室内送風機２３の回転数を増大させる。さらに、圧縮機制御部３６は、圧縮機１１の運転周波数を制御して圧縮機１１を停止させる。
【００４４】
一方、冷媒漏洩が発生していないと判定された場合（ステップＳ５；Ｎｏ）には、処理がステップＳ１に戻り、冷媒漏洩の監視が継続される。
【００４５】
このように、本実施の形態１では、風量に応じて使用する冷媒漏洩検知センサが選択されるため、運転状態に応じた冷媒漏洩の検知を行うことができる。また、選択された冷媒漏洩検知センサのみが冷媒の検知を行う。そのため、冷媒漏洩を確実に検知することができる。また、使用しない冷媒漏洩検知センサの経年劣化が抑制されるため、冷媒漏洩検知センサは、より長期間、冷媒漏洩を正確に検知することができる。さらに、選択された冷媒漏洩検知センサのみを用いて冷媒漏洩の検知が行われるため、空気調和装置１００全体としての消費電力を抑制することができる。
【００４６】
（室内機２の変形例）
室内機２の変形例について説明する。この変形例は、室内機２を４方向天井カセット形に適用したものである。図６は、本実施の形態１の変形例に係る室内機２の外観の一例を示す斜視図である。図７は、図６の室内機２の内部構造の一例を示す断面図である。図６および図７に示すように、室内機２は、４方向天井カセット形であり、本体２０内に室内熱交換器２１および室内送風機２３が配置されている。なお、ここでは図示しないが、本体２０内には、膨張弁２２も配置されている。
【００４７】
本体２０には、吸込口２５および吹出口２６が形成されている。本体２０の内部には、吸込口２５から吹出口２６に至る風路２７が形成されている。風路２７上には、空気流れ方向の上流側から、吸込口２５、フィルタ２８、室内送風機２３、室内熱交換器２１および吹出口２６が位置している。第１の冷媒漏洩検知センサ２４Ａは、風路２７上の吸込口２５近傍に設けられている。第２の冷媒漏洩検知センサ２４Ｂは、風路２７上の室内熱交換器２１の下部に設けられている。
【００４８】
このように、室内機２は、４方向天井カセット形にも適用することができる。そして、変形例による室内機２は、本実施の形態１による壁掛型の室内機２と同様の効果を得ることができる。
【００４９】
以上のように、本実施の形態１に係る空気調和装置１００の室内機２では、室内送風機２３の回転数に基づき判定された風量の有無に応じて、第１の冷媒漏洩検知センサ２４Ａおよび第２の冷媒漏洩検知センサ２４Ｂの何れかまたは両方が選択される。そして、選択された冷媒漏洩検知センサからの検知情報に基づき、冷媒の漏洩の有無が判定される。これにより、冷媒の漏洩を確実に検出することができるとともに、冷媒漏洩検知センサの検知精度を、より長期間、維持することができる。
【００５０】
また、室内機２では、室内送風機２３が回転していない場合に、風量がないと判定され、第２の冷媒漏洩検知センサ２４Ｂが選択される。室内送風機２３が回転している場合には、前記風量があると判定され、第１の冷媒漏洩検知センサ２４Ａおよび第２の冷媒漏洩検知センサ２４Ｂが選択される。これにより、風量の有無に応じて適切な冷媒漏洩検知センサが選択されるため、冷媒が漏洩しているか否かを正確に検知することができる。
【００５１】
さらに、室内機２では、冷媒漏洩が検知された場合に、冷媒が漏洩していることを示す報知が行われる。そのため、冷媒が漏洩している場合に、作業者に対して冷媒漏洩を迅速に報知することができる。さらにまた、室内機２では、冷媒漏洩が検知された場合に、室内送風機２３の回転数を増大させるため、漏洩した冷媒を拡散させて発火等の危険を防ぐことができる。
【００５２】
実施の形態２．
次に、本発明の実施の形態２について説明する。本実施の形態２は、風量の大きさに応じて使用する冷媒漏洩検知センサを選択する点で、実施の形態１と相違する。
【００５３】
実施の形態１では、風量の有無に応じて使用する冷媒漏洩検知センサを選択しているが、風量の大きさによっては、漏洩した冷媒が拡散しなかったり、滞留しなかったりする場合がある。例えば、風量が比較的小さい場合、漏洩した冷媒は、拡散せずに滞留する。また、風量が比較的大きい場合、漏洩した冷媒は、滞留せずに拡散する。そこで、本実施の形態２では、風量の大きさに対して閾値を設定し、風量と閾値との関係に応じて使用する冷媒漏洩検知センサを選択する。
【００５４】
［制御装置１０３の構成］
本実施の形態２に係る空気調和装置１００の室内機２は、図１に示す制御装置３に代えて、制御装置１０３を備えている。なお、以下の説明において、実施の形態１と共通する部分には同一の符号を付し、詳細な説明を省略する。
【００５５】
図８は、本実施の形態２に係る制御装置１０３の構成の一例を示す機能ブロック図である。図８に示すように、制御装置１０３は、風量判定部３１、センサ選択部３２、漏洩判定部３３、報知制御部３４、送風機制御部３５、圧縮機制御部３６および記憶部３７を備えている。
【００５６】
本実施の形態２において、風量判定部３１は、室内送風機２３から回転数情報を受け取り、受け取った回転数情報と、記憶部３７に予め記憶された回転数に対する閾値とに基づき、風量の大きさを判定する。
【００５７】
記憶部３７は、制御装置１０３の各部で処理を行う際に用いられる各種の情報を記憶する。記憶部３７に記憶された各種の情報は、各部からの要求に応じて読み出される。本実施の形態２において、記憶部３７は、室内送風機２３の回転数に対して予め設定された閾値を記憶する。
【００５８】
閾値は、風量を段階的に決定するためのものであり、複数設定される。この例では、複数の閾値として、第１の閾値と第１の閾値よりも大きい第２の閾値とが設定されている。第１の閾値は、風量が微風量以下であるか否かを判定するためのものである。第２の閾値は、風量が高風量であるか否かを判定するためのものである。
【００５９】
具体的には、風量が微風量以下であるか否か、すなわち微風量または無風量であるか否かを判定する際に、風量が第１の閾値と比較される。また、風量が高風量であるか否かを判定する際に、風量が第２の閾値と比較される。さらに、風量が微風量と高風量との中間である中間風量であるか否かを判定する際には、風量が第１の閾値および第２の閾値と比較される。
【００６０】
（冷媒漏洩検知処理）
本実施の形態２に係る空気調和装置１００における冷媒漏洩検知処理について説明する。本実施の形態２では、風量の大きさに基づいて使用する冷媒漏洩検知センサが選択され、選択された冷媒漏洩検知センサの検知情報に基づいて冷媒が漏洩しているか否かが判定される。
【００６１】
図９は、図８の制御装置１０３による冷媒漏洩検知処理の流れの一例を示すフローチャートである。なお、実施の形態１と同様の処理には、同一の符号を付すものとする。ステップＳ１において、空気調和装置１００が通電されると、風量判定部３１は、ステップＳ１１において、室内送風機２３から受け取った回転数情報と、記憶部３７に記憶された第１の閾値および第２の閾値とに基づき、風量の大きさを判定する。
【００６２】
室内送風機２３の回転数が第１の閾値以下である場合、風量判定部３１は、風量が微風量以下であると判定する。そして、センサ選択部３２は、ステップＳ１２において、冷媒漏洩を検知するためのセンサとして、第２の冷媒漏洩検知センサ２４Ｂを選択する。
【００６３】
室内送風機２３の回転数が第１の閾値より大きく、かつ第２の閾値以下である場合、風量判定部３１は、風量が中間風量であると判定する。そして、センサ選択部３２は、ステップＳ１３において、冷媒漏洩を検知するためのセンサとして、第１の冷媒漏洩検知センサ２４Ａおよび第２の冷媒漏洩検知センサ２４Ｂの両方を選択する。
【００６４】
室内送風機２３の回転数が第２の閾値より大きい場合、風量判定部３１は、風量が高風量であると判定する。そして、センサ選択部３２は、ステップＳ１４において、冷媒漏洩を検知するためのセンサとして、第１の冷媒漏洩検知センサ２４Ａを選択する。
【００６５】
ステップＳ５において、漏洩判定部３３は、ステップＳ１２〜ステップＳ１４で選択された冷媒漏洩検知センサからの検知情報に基づき、冷媒漏洩が発生しているか否かを判定する。冷媒漏洩が発生していると判定された場合（ステップＳ５；Ｙｅｓ）、ステップＳ６において、報知制御部３４は、冷媒漏洩が発生していることを報知するように、報知部５を制御する。また、送風機制御部３５は、漏洩した冷媒を空調対象空間に拡散させるように、室内送風機２３の回転数を増大させる。さらに、圧縮機制御部３６は、圧縮機１１の運転周波数を制御して圧縮機１１を停止させる。
【００６６】
一方、冷媒漏洩が発生していないと判定された場合（ステップＳ５；Ｎｏ）には、処理がステップＳ１に戻り、冷媒漏洩の監視が継続される。
【００６７】
以上のように、本実施の形態２に係る空気調和装置１００では、回転数が第１の設定閾値以下である場合に、風量が微風量以下であると判定され、第２の冷媒漏洩検知センサ２４Ｂが選択される。また、回転数が第１の設定閾値より大きく、かつ第２の設定閾値以下である場合に、風量が中間風量であると判定され、第１の冷媒漏洩検知センサ２４Ａおよび第２の冷媒漏洩検知センサ２４Ｂが選択される。さらに、回転数が第２の設定閾値より大きい場合に、風量が高風量であると判定され、第１の冷媒漏洩検知センサ２４Ａが選択される。これにより、風量の大きさに応じてより適切な冷媒漏洩検知センサが選択されるため、冷媒が漏洩しているか否かを正確に検知することができる。
【符号の説明】
【００６８】
１  室外機、２  室内機、３  制御装置、４  冷媒配管、５  報知部、１１  圧縮機、１２  冷媒流路切替装置、１３  室外熱交換器、１４  室外送風機、２０  本体、２０ａ  前面パネル、２０ｂ  側面パネル、２０ｃ  天面パネル、２０ｄ  背面パネル、２０ｅ  底面パネル、２１  室内熱交換器、２２  膨張弁、２３  室内送風機、２４Ａ  第１の冷媒漏洩検知センサ、２４Ｂ  第２の冷媒漏洩検知センサ、２５  吸込口、２６  吹出口、２７  風路、２８  フィルタ、３１  風量判定部、３２  センサ選択部、３３  漏洩判定部、３４  報知制御部、３５  送風機制御部、３６  圧縮機制御部、３７  記憶部、１００  空気調和装置、１０３  制御装置。
【図１】
2019198176.tif 000003
【図２】
2019198176.tif 000004
【図３】
2019198176.tif 000005
【図４】
2019198176.tif 000006
【図５】
2019198176.tif 000007
【図６】
2019198176.tif 000008
【図７】
2019198176.tif 000009
【図８】
2019198176.tif 000010
【図９】
2019198176.tif 000011
【国際調査報告】
2019198176.tif 000012
2019198176.tif 000013